(57)【要約】【課題】ケーブルに対して簡単に防蟻処理を施すことができる、防蟻具を提供する。【解決手段】防蟻具４は、ケーブル３に被せられるよう、筒状に形成されて、少なくとも外面側に防蟻成分を含有するとともに、長手方向に連続して延びる切割部４ａを有する。この切割部４ａは、防蟻具４自身の弾性により拡開可能であり、かつ、その拡開した切割部４ａからケーブル３を内部に挿入可能であって、切割部４ａが閉じる側に弾性復帰することにより、防蟻具４の内面が、ケーブル３に密接する。【選択図】  図３
2018157638.tif 000002
【特許請求の範囲】
【請求項１】
ケーブルに被せられる防蟻具であって、
筒状に形成されて、少なくとも外面側に防蟻成分を含有するとともに、長手方向に連続して延びる切割部を有し、
前記切割部は、防蟻具自身の弾性により拡開可能であり、かつ、その拡開した切割部から前記ケーブルを内部に挿入可能であって、前記切割部が閉じる側に弾性復帰することにより、防蟻具の内面が、前記ケーブルに密接する、防蟻具。
【請求項２】
防蟻具の内径は、前記ケーブルの外径よりも小さく形成されている、請求項１に記載の防蟻具。
【請求項３】
地中埋設箱の側壁の貫通孔に、保護管が直接または接続具を介して接続されて、前記保護管内と前記地中埋設箱内とを通るようにケーブルが配設された配設路における防蟻構造であって、
少なくとも、前記保護管と前記地中埋設箱との接続部またはその近傍の、少なくとも内面に防蟻処理が施された防蟻処理部と、前記ケーブルに被せられる防蟻具とを備え、
前記防蟻具は、筒状に形成されて、少なくとも外面側に防蟻成分を含有するとともに、長手方向に連続して延びる切割部を有し、
前記切割部は、防蟻具自身の弾性により拡開可能であり、かつ、その拡開した切割部から前記ケーブルを内部に挿入可能であって、
前記ケーブルに、前記防蟻処理部と重なる位置から前記地中埋設箱内に渡るように、前記防蟻具が、一つ、または複数並んで被せられて、前記切割部が閉じる側に弾性復帰することにより、前記防蟻具の内面が、前記ケーブルに密接している、防蟻構造。
【請求項４】
前記防蟻具は、前記ケーブルに被せられた状態で、前記切割部を挟む両周端部が互いに離れている、請求項３に記載の防蟻構造。
【請求項５】
前記防蟻具は、前記切割部が下側に位置するように配置されている、請求項４に記載の防蟻構造。
【請求項６】
前記防蟻具は、複数が前記ケーブルに沿って並んで配置されている、請求項３ないし５のいずれか１項に記載の防蟻構造。
【請求項７】
前記防蟻具は、複数が前記ケーブルに沿って並んで配置され、かつ、それら複数の防蟻具のうち少なくとも前記防蟻処理部に配置される防蟻具は、前記切割部が下側に位置するように配置されている、請求項４に記載の防蟻構造。
【請求項８】
前記防蟻具は、複数が前記ケーブルに沿って並んで配置され、かつ、前記防蟻具は、前記切割部が隣り合う防蟻具の切割部と周方向にずれるように配置されている、請求項４に記載の防蟻構造。
【請求項９】
前記保護管は、少なくとも内面側に防蟻成分を含有することで、自身の少なくとも内面が前記防蟻処理部となっている、請求項３ないし８のいずれか１項に記載の防蟻構造。
【請求項１０】
前記ケーブルは、複数本の絶縁電線からなり、それら複数本の絶縁電線は、共通の保護外被覆で被覆されるこなく露出した状態で形成されており、
前記防蟻具の内面と前記絶縁電線とで囲まれる空間の、前記防蟻処理部と重なる位置から前記地中埋設箱内に渡る領域にあって少なくともその一部の領域が、防蟻成分を含有する充填剤で埋められている、請求項３ないし９のいずれか１項に記載の防蟻構造。
【発明の詳細な説明】
【技術分野】
【０００１】
この発明は、ケーブルに防蟻処理を施すための防蟻具、およびその防蟻具を備えた防蟻構造に関するものである。
【背景技術】
【０００２】
従来より、地中に地中埋設箱を設置し、その地中埋設箱に保護管を接続して、その保護管内にケーブルを配線することが行われていた。白蟻対策としては、保護管内とか、地中埋設箱内のケーブルの接続部とかに防蟻処理を施したり、地中埋設箱が有する接合部に防蟻シートを配置したりしていた（例えば、特許文献１参照）。そして、ケーブルに対しては、防蟻対策として、高価な防蟻ケーブルを使用することがあった。
【先行技術文献】
【特許文献】
【０００３】
【特許文献１】特開２０１６−５３３６号公報
【発明の概要】
【発明が解決しようとする課題】
【０００４】
しかし、前記従来の防蟻ケーブルにあっては、その防蟻ケーブルの表面についた傷などから白蟻による蟻害が発生する虞があった。
【０００５】
この発明は、上記した従来の欠点を解決するためになされたものであり、その目的とするところは、ケーブルに対して簡単に防蟻処理を施すことができる、防蟻具および防蟻構造を提供することにある。
【課題を解決するための手段】
【０００６】
この発明に係る防蟻具および防蟻構造は、前記目的を達成するために、次の構成からなる。すなわち、
請求項１に記載の発明に係る防蟻具は、ケーブルに被せられる防蟻具であって、筒状に形成されて、少なくとも外面側に防蟻成分を含有するとともに、長手方向に連続して延びる切割部を有する。この切割部は、防蟻具自身の弾性により拡開可能であり、かつ、その拡開した切割部から前記ケーブルを内部に挿入可能であって、前記切割部が閉じる側に弾性復帰することにより、防蟻具の内面が、前記ケーブルに密接する。
【０００７】
この防蟻具によると、防蟻具は、筒状に形成されて、少なくとも外面側に防蟻成分を含有する。そして、防蟻具に設けられた切割部を拡開し、その拡開した切割部からケーブルを内部に挿入することで、この防蟻具は、ケーブルに被せられる。このとき、切割部が閉じる側に弾性復帰し、防蟻具は、ケーブルに密接する。こうして、この防蟻具を切割部から簡単にケーブルに被せることができ、また、この防蟻具によって、白蟻がケーブル伝いに移動しようとしたり、ケーブルを喰い破ったりするのを防ぐことができる。
【０００８】
また、請求項２に記載の発明に係る防蟻具は、請求項１に記載の防蟻具において、防蟻具の内径は、前記ケーブルの外径よりも小さく形成されている。
【０００９】
また、請求項３に記載の発明に係る防蟻構造は、地中埋設箱の側壁の貫通孔に、保護管が直接または接続具を介して接続されて、前記保護管内と前記地中埋設箱内とを通るようにケーブルが配設された配設路における防蟻構造である。この防蟻構造は、少なくとも、前記保護管と前記地中埋設箱との接続部またはその近傍の、少なくとも内面に防蟻処理が施された防蟻処理部と、前記ケーブルに被せられる防蟻具とを備える。前記防蟻具は、筒状に形成されて、少なくとも外面側に防蟻成分を含有するとともに、長手方向に連続して延びる切割部を有する。この切割部は、防蟻具自身の弾性により拡開可能であり、かつ、その拡開した切割部から前記ケーブルを内部に挿入可能であって、前記ケーブルに、前記防蟻処理部と重なる位置から前記地中埋設箱内に渡るように、前記防蟻具が、一つ、または複数並んで被せられて、前記切割部が閉じる側に弾性復帰することにより、前記防蟻具の内面が、前記ケーブルに密接している。
【００１０】
この防蟻構造によると、ケーブルが、保護管内とその保護管が接続された地中埋設箱内とを通るように配設される。防蟻処理部は、少なくとも、保護管と地中埋設箱との接続部またはその近傍の、少なくとも内面に防蟻処理が施されてなる。防蟻具は、筒状に形成されて、少なくとも外面側に防蟻成分を含有する。そして、防蟻具に設けられた切割部を拡開し、その拡開した切割部からケーブルを内部に挿入することで、この防蟻具は、ケーブルに被せられる。このとき、切割部が閉じる側に弾性復帰し、防蟻具は、ケーブルに密接する。こうして、この防蟻具を切割部から簡単にケーブルに被せることができ、また、この防蟻具によって、白蟻がケーブル伝いに移動しようとしたり、ケーブルを喰い破ったりするのを防ぐことができる。そして、この防蟻具が、ケーブルに、防蟻処理部と重なる位置から地中埋設箱内に渡るように被せられることで、白蟻がケーブル伝いに、地中埋設箱内から保護管内へ侵入し難くなる。
【００１１】
また、請求項４に記載の発明に係る防蟻構造は、請求項３に記載の防蟻構造において、前記防蟻具は、前記ケーブルに被せられた状態で、前記切割部を挟む両周端部が互いに離れている。
【００１２】
また、請求項５に記載の発明に係る防蟻構造は、請求項４に記載の防蟻構造において、前記防蟻具は、前記切割部が下側に位置するように配置されている。こうして、切割部が下側に位置することで、その切割部に白蟻が達するのが困難となり、その切割部伝いに白蟻が地中埋設箱側から保護管側へと進むのを防ぐことができる。
【００１３】
また、請求項６に記載の発明に係る防蟻構造は、請求項３ないし５のいずれか１項に記載の防蟻構造において、前記防蟻具は、複数が前記ケーブルに沿って並んで配置されている。
【００１４】
また、請求項７に記載の発明に係る防蟻構造は、請求項４に記載の防蟻構造において、前記防蟻具は、複数が前記ケーブルに沿って並んで配置され、かつ、それら複数の防蟻具のうち少なくとも前記防蟻処理部に配置される防蟻具は、前記切割部が下側に位置するように配置されている。こうして、防蟻処理部に配置される防蟻具において、切割部が下側に位置することで、その切割部に白蟻が達するのが困難となり、その切割部伝いに白蟻が地中埋設箱側から保護管側へと進むのを防ぐことができる。
【００１５】
また、請求項８に記載の発明に係る防蟻構造は、請求項４に記載の防蟻構造において、前記防蟻具は、複数が前記ケーブルに沿って並んで配置され、かつ、前記防蟻具は、前記切割部が隣り合う防蟻具の切割部と周方向にずれるように配置されている。これにより、白蟻が切割部伝いに、地中埋設箱側から保護管側へと進もうとしても、隣り同士で切割部が周方向にずれていることから、それ以上白蟻が進むのを防ぐことができる。
【００１６】
また、請求項９に記載の発明に係る防蟻構造は、請求項３ないし８のいずれか１項に記載の防蟻構造において、前記保護管は、少なくとも内面側に防蟻成分を含有することで、自身の少なくとも内面が前記防蟻処理部となっている。
【００１７】
また、請求項１０に記載の発明に係る防蟻構造は、請求項３ないし９のいずれか１項に記載の防蟻構造において、前記ケーブルは、複数本の絶縁電線からなり、それら複数本の絶縁電線は、共通の保護外被覆で被覆されることなく露出した状態で形成されている。そして、前記防蟻具の内面と前記絶縁電線とで囲まれる空間の、前記防蟻処理部と重なる位置から前記地中埋設箱内に渡る領域にあって少なくともその一部領域が、防蟻成分を含有する充填剤で埋められている。こうして、防蟻具の内面と絶縁電線とで囲まれる空間が、防蟻成分を含有する充填剤で埋められることで、白蟻がケーブル伝いに移動しようとするのを的確に防ぐことができる。
【発明の効果】
【００１８】
この発明に係る防蟻具および防蟻構造によれば、弾性復帰する切割部を有してケーブルに密接する筒状の防蟻具により、ケーブルに対して簡単に防蟻処理を施すことができる。
【図面の簡単な説明】
【００１９】
【図１】この発明の一実施の形態の、防蟻具を示し、（ａ）は、正面図、（ｂ）は、右側面図である。
【図２】同じく、防蟻構造の断面図である。
【図３】同じく、図２におけるＡ−Ａ線による拡大端面図である。
【図４】この発明の第１の変形例を示す、防蟻構造の断面図である。
【図５】この発明の第２の変形例を示す、防蟻構造の断面図である。
【図６】この発明の第３の変形例を示す、防蟻構造の断面図である。
【図７】この発明の第４の変形例を示す、防蟻構造の図３相当図である。
【発明を実施するための形態】
【００２０】
以下、この発明に係る防蟻具および防蟻構造を実施するための形態を図面に基づいて説明する。
【００２１】
図１〜図３は、本発明の一実施の形態を示す。図中符号１は、地中埋設箱を示し、１ａは、その地中埋設箱１の側壁を示す。２は、保護管を示し、この保護管２は、前記側壁１ａの貫通孔１ｂに、直接または接続具を介して（図示実施の形態においては、直接）接続される。３は、ケーブルを示し、このケーブル３は、電力ケーブルとか通信ケーブルとか光ファイバー等からなる。４は、防蟻具を示す。５は、防蟻構造を示す。
【００２２】
ここで、防蟻具４は、ケーブル３に被せられるものであって、筒状に形成されて、少なくとも外面側に防蟻成分を含有するとともに、長手方向に連続して延びる切割部４ａを有する。この切割部４ａは、防蟻具４自身の弾性により拡開可能であり、かつ、その拡開した切割部４ａからケーブル３を内部（つまり、防蟻具４の内部）に挿入可能であって、切割部４ａが閉じる側に弾性復帰することにより、防蟻具４の内面が、ケーブル３に密接するようになっている。また、防蟻具４の内径（つまり、ケーブル３に被せられる前の防蟻具４単独の状態での内径）は、ケーブル３の外形よりも小さく形成されている。
【００２３】
防蟻構造５は、前記保護管２内と前記地中埋設箱１内とを通るようにケーブル３が配設された配設路における防蟻構造である。この防蟻構造５は、少なくとも、保護管２と地中埋設箱１との接続部またはその近傍の、少なくとも内面に防蟻処理が施された防蟻処理部６と、前記防蟻具４とを備えている。そこで、ケーブル３に、防蟻処理部６と重なる位置から地中埋設箱１内に渡るように、前記防蟻具４が、一つ、または複数並んで（図示実施の形態においては、一つ）被せられて、その防蟻具４の切割部４ａが閉じる側に弾性復帰することにより、防蟻具４の内面が、ケーブル３に密接している。
【００２４】
ここで、図３に示すように、防蟻具４は、ケーブル３に被せられた状態で、切割部４ａを挟む両周端部４ｂ、４ｂが互いに離れている。そして、防蟻具４は、切割部４ａが下側に位置するように配置されている。
【００２５】
具体的には、地中埋設箱１は、ハンドホールとかマンホール等からなる。保護管２は、ケーブル３を保護する電線管であって、例えば、その長手方向に波が形成された波付管からなり、可撓性を備える。そこで、この保護管２が、地中埋設箱１の側壁１ａの貫通孔１ｂに直接（つまり、接続具を用いることなく）接続される。図示実施の形態においては、側壁１ａに保護管２が埋め込まれるようにして接続され、その埋め込まれる保護管２により、側壁１ａに貫通孔１ｂが形成される。もっとも、側壁１ａに予めあけられた貫通孔１ａに保護管２を通すとともに、保護管２の外周側の隙間をモルタル等の充填材で閉じ、あるいは埋めるようにすることで、保護管２が、側壁１ａの貫通孔１ｂに直接接続されてもよい。
【００２６】
また、図示実施の形態においては、保護管２の、地中埋設箱１内に開口する先端部分には、ベルマウス７が挿入される。そして、そのベルマウス７の外側に広がった部分と側壁１ａとの間が、エポキシ樹脂等からなるパテ８で埋められる。
【００２７】
ここで、保護管２は、その全体に防蟻成分を含有する。これにより、保護管２は、その全体が防蟻処理部６となっている。つまり、保護管２は、筒の全体が、防蟻成分を含有する材料で形成される。ここで、防蟻成分は、例えば、クロチアニジン等のネオニコチノイド系化合物であったり、また、ピレスロイド系化合物、有機リン剤、カーバメート剤、ホウ素化合物、フッ素化合物であったりする。そこで、この防蟻成分が、例えば、マイクロカプセルに封入され、ベースとなる合成樹脂材料に混練されて成形され、保護管２が形成される。
【００２８】
防蟻具４は、ケーブル３の外周に合わせて、例えば円筒形状をし、その全体に防蟻成分を含有する。つまり、防蟻具４は、筒の全体が、防蟻成分を含有する材料で形成される。ここで、防蟻成分は、保護管２におけるものと同様であり、この防蟻成分が、例えば、マイクロカプセルに封入され、ベースとなる合成樹脂材料に混練されて成形され、防蟻具４が形成される。
【００２９】
次に、以上の構成からなる防蟻具４および防蟻構造５の作用効果について説明する。防蟻具４は、筒状に形成されて、少なくとも外面側に（図示実施の形態においては、全体に）防蟻成分を含有する。そして、防蟻具４に設けられた切割部４ａを拡開し、その拡開した切割部４ａからケーブル３を内部に挿入することで、この防蟻具４は、ケーブル３に被せられる。このとき、切割部４ａが閉じる側に弾性復帰し、防蟻具４は、ケーブル３に密接する。こうして、この防蟻具４を切割部４ａから簡単にケーブル３に被せることができ、また、この防蟻具４によって、白蟻がケーブル３伝いに移動しようとしたり、ケーブル３を喰い破ったりするのを防ぐことができる。すなわち、弾性復帰する切割部４ａを有してケーブル３に密接する筒状の防蟻具４により、ケーブル３に対して簡単に防蟻処理を施すことができる。特に、図示実施の形態においては、防蟻具４は、その全体に防蟻成分を含有することから、この防蟻具４による防蟻効果を高めることができる。
【００３０】
また、防蟻構造５においては、ケーブル３が、保護管２内とその保護管２が接続された地中埋設箱１内とを通るように配設される。防蟻処理部６は、少なくとも、保護管２と地中埋設箱１との接続部またはその近傍の、少なくとも内面に防蟻処理が施されてなる。防蟻具４は、筒状に形成されて、少なくとも外面側に（図示実施の形態においては、全体に）防蟻成分を含有する。そして、防蟻具４が、ケーブル３に、防蟻処理部６と重なる位置から地中埋設箱１内に渡るように被せられることで、白蟻が地中埋設箱１の継目等から箱内に入っても、その白蟻がケーブル３伝いに、地中埋設箱１内から保護管２内へ侵入し難くなる。特に、図示実施の形態においては、保護管２の全体が防蟻処理部６となっていることから、白蟻が、保護管２の外側から保護管２を喰い破ったり、喰い破って保護管２の内部に侵入したりするのを防ぐことができる。
【００３１】
また、防蟻具４は、切割部４ａが下側に位置することで、その切割部４ａに白蟻が達するのが困難となり、その切割部４ａ伝いに白蟻が地中埋設箱１側から保護管２側へと進むのを防ぐことができる。特に、切割部４ａが真下に位置する場合には、その切割部４ａを挟む周端部４ｂが防蟻処理部６と接触あるいは近接し、より的確に、切割部４ａ伝いに白蟻が地中埋設箱１側から保護管２側へと進むのを防ぐことができる。
【００３２】
また、図示実施の形態においては、切割部４ａを真下に位置させたとき、その切割部４ａから露出するケーブル３が、そのケーブル３を配設する管路（つまり、保護管２等）の内面に当接している（図２、図３参照）。このため、地中埋設箱１内で、防蟻具４をケーブル３に被せ、その防蟻具４を保護管２内へと送り込むとき、切割部４ａを真下に位置させることで、防蟻具４が前記管路の内面に接触するのを避けることができ、これによって、防蟻具４をスムーズに保護管２内へと送り込むことができる。
【００３３】
なお、本発明は、上述した実施の形態に限定されるわけではなく、その他種々の変更が可能である。例えば、防蟻具４は、ケーブル３に、防蟻処理部６と重なる位置から地中埋設箱１内に渡るように、一つ被せられるが、図４に示すように、防蟻具４の長さを短くして、複数並んで被せられてもよい。すなわち、防護具４は、複数がケーブル３に沿って並んで配置されてもよい。これにより、ケーブル３が湾曲している場合であっても、その湾曲に、防蟻具４を容易に追従させることができる。そして、この場合、防蟻具４、４の全てが、切割部４ａが下側に位置するように配置される以外に、複数の防蟻具４、４のうち少なくとも防蟻処理部６に配置される防蟻具４が、切割部４ａが下側に位置するように（好ましくは、真下に位置するように）配置されてもよい。こうして、防蟻処理部６に配置される防蟻具４において、切割部４ａが下側に位置することで、その切割部４ａに白蟻が達するのが困難となり、その切割部４ａ伝いに白蟻が地中埋設箱１側から保護管２側へと進むのを防ぐことができる。特に、切割部４ａが真下に位置する場合には、その切割部４ａを挟む周端部４ｂが防蟻処理部６と接触あるいは近接し、より的確に、切割部４ａ伝いに白蟻が地中埋設箱１側から保護管２側へと進むのを防ぐことができる。
【００３４】
また、前記のように、複数の防蟻具４、４が、ケーブル３に沿って並んで配置される場合には、これら防蟻具４、４は、切割部４ａが隣り合う防蟻具４の切割部４ａと周方向にずれるように配置されてもよい。これにより、白蟻が切割部４ａ伝いに、地中埋設箱１側から保護管２側へと進もうとしても、隣り同士で切割部４ａ、４ａが周方向にずれていることから、それ以上白蟻が進むのを防ぐことができる。
【００３５】
また、防蟻具４は、切割部４ａが下側に位置するように配置されなくとも、上側を向くように配置されていもよい。
【００３６】
また、防蟻具４は、ケーブル３に被せられた状態で、切割部４ａを挟む両周端部４ｂ、４ｂが互いに離れているが、接触していてもよい。
【００３７】
また、ケーブル３に防蟻具４を被せることで、そのケーブル３として、高価な防蟻ケーブルを使用する必要はなくなるが、防蟻効果をより確実にするために、防蟻ケーブルを用いても構わない。
【００３８】
また、防蟻具４は、その全体に防蟻成分を含有しなくても、少なくとも外面側に防蟻成分を含有していればよい。つまり、防蟻具４は、筒の全体が、防蟻成分を含有する材料で形成される以外に、複数層からなって、その外層が、防蟻成分を含有する材料で形成されてもよい。もっとも、防蟻具４が複数層からなる場合には、その外層は、その外層が面することとなる内側の層の外面に、防蟻成分を含有する塗布液が塗布されてその塗布液が硬化して被膜化されて形成されてもよい。ここで、塗布液は、例えば合成樹脂等に防蟻成分を混合したもの、詳細には、バインダー樹脂と揮発性溶剤と防蟻成分とを含むものであって、塗布後に、揮発性溶剤が揮発することで、塗布液は、硬化して被膜化される。
【００３９】
また、防蟻具４に、筒の内外を貫通する複数の孔（特に、白蟻が通過することができない大きさの孔であって、例えば、直径０．５ｍｍの孔）を設けて、ケーブル３の熱を逃がすようにしてもよい。
【００４０】
また、保護管２は、地中埋設箱１の側壁１ａの貫通孔１ｂに直接接続されなくとも、図５に示すように、接続具９を介して接続されてもよい。すなわち、側壁１ａの貫通孔１ｂに、筒状の接続具９の一端側が接続され、その接続具９の他端側に、保護管２が接続されることで、保護管２が、貫通孔１ｂに接続具９を介して接続されてもよい。
【００４１】
また、保護管２は、その全体に防蟻成分を含有しなくても、少なくとも内面側に防蟻成分を含有していればよい。すなわち、保護管２は、自身の少なくとも内面が前記防蟻処理部６となればよい。つまり、保護管２は、筒の全体が、防蟻成分を含有する材料で形成される以外に、複数層からなって、その内層が、防蟻成分を含有する材料で形成されたりしてもよい。もっとも、保護管２が複数層からなる場合には、その内層は、その内層が面することとなる外側の層の内面に、防蟻成分を含有する塗布液が塗布されてその塗布液が硬化して被膜化されて形成されてもよい。ここで、塗布液は、例えば合成樹脂等に防蟻成分を混合したもの、詳細には、バインダー樹脂と揮発性溶剤と防蟻成分とを含むものであって、塗布後に、揮発性溶剤が揮発することで、塗布液は、硬化して被膜化される。
【００４２】
また、防蟻処理部６は、保護管２自身によるものでなくとも、図６に示すように、防蟻処理部６として、保護管２の内面側（前記接続具９がある場合には、保護管２または／および接続具９の内面側）に筒体１０を新たに設けるようにしてもよい。すなわち、筒体１０は、前述した保護管２と同様に、少なくとも内面側に防蟻成分を含有することで、自身の少なくとも内面が防蟻処理部６となってもよく、特に、筒体１０は、その全体に防蟻成分を含有することで、その全体が防蟻処理部６となってもよい。そして、この場合、筒体１０と保護管２（前記接続具９がある場合には、保護管２または／および接続具９）の間が、防蟻成分を含有するシール材１１によりシールされるのが好ましい。また、図示実施の形態においては、筒体１０は、一つ設けられているが、複数が並んで設けられてもよい。
【００４３】
また、図７に示すように、ケーブル３は、複数本の絶縁電線３ａ、３ａからなり、それら複数本の絶縁電線３ａ、３ａが、共通の保護外被覆で被覆されることなく露出した状態で形成されてもよい（つまり、複数本の、例えば、３本の絶縁電線３ａ、３ａを撚り合わせたトリプレックス形ケーブル等であってもよい）。そして、この場合、防蟻具４の内面と前記絶縁電線３ａ、３ａとで囲まれる空間の、防蟻処理部６と重なる位置から地中埋設箱１内に渡る領域にあって少なくともその一部の領域が、防蟻成分を含有する充填剤１２（例えば、パテとかコーキング等）で埋められるのが好ましい。こうして、防蟻具４の内面と絶縁電線３ａ、３ａとで囲まれる空間が、防蟻成分を含有する充填剤１２で埋められることで、白蟻がケーブル３伝いに移動しようとするのを的確に防ぐことができる。ここで、防蟻具４内の、充填剤１２で埋められる位置は、防蟻具４の、地中埋設箱１内の側の端部部分が好ましいが、その部分に限るものではない。
【００４４】
また、保護管２は、波付管でなくとも、平滑管であってもよい。
【符号の説明】
【００４５】
１  地中埋設箱
１ａ  側壁
１ｂ  貫通孔
２  保護管
３  ケーブル
３ａ  絶縁電線
４  防蟻具
４ａ  切割部
４ｂ  周端部
５  防蟻構造
６  防蟻処理部
９  接続具
１２  充填剤
【図１】
2018157638.tif 000003
【図２】
2018157638.tif 000004
【図３】
2018157638.tif 000005
【図４】
2018157638.tif 000006
【図５】
2018157638.tif 000007
【図６】
2018157638.tif 000008
【図７】
2018157638.tif 000009